(57)【特許請求の範囲】
【請求項１】
複数の歌唱区間が連設されてなる楽曲が所定数格納される楽曲データベースを少なくとも有する区間再生機能を備えるカラオケシステムであって、
利用者ＩＤ取得手段、採点処理手段、採点記憶手段、再生区間特定手段及び再生制御手段を有し、
前記利用者ＩＤ取得手段は、利用者より利用者ＩＤを取得し、
前記採点処理手段は、少なくとも歌唱されている楽曲中における前記歌唱区間毎に採点処理を行い、
前記採点記憶手段は、利用者ＩＤ毎に、歌唱された楽曲毎の前記採点処理手段で採点処理された少なくとも歌唱区間毎の採点を記憶し、
前記再生区間特定手段は、楽曲の再生要求に応じて、利用者ＩＤに基づき前記採点記憶手段より取得した歌唱対象となる当該楽曲の歌唱区間毎の採点に基づいて、予め設定された基準採点値に満たない歌唱区間を所定数特定し、
前記再生制御手段は、利用者が歌唱対象となる楽曲の前記再生区間特定手段で特定された歌唱区間の歌唱を選択した場合に当該歌唱区間を再生させる、
ことを特徴とする区間再生機能を備えるカラオケシステム。
【発明の詳細な説明】
【技術分野】
【０００１】
本発明は、一曲の楽曲のうち、所定の区間を再生して歌唱させる区間再生機能を備えるカラオケシステムに関する。
【背景技術】
【０００２】
近年、カラオケシステムでは歌唱力の採点機能を附帯させたものが出現しており、歌唱された楽曲についての採点結果でランキングを競うコンテンツも利用されている。利用者は、一曲の中でも得手な部分と、不得手な部分とがあり、歌唱力向上のために練習を行う場合に、一曲全部を歌唱するよりも不得手な部分のみを練習した方が効率がよい。そのため、利用者に対して効率よく練習させて歌唱力向上に寄与できることが、歌唱の動機付けとさせるためにも望ましい。
【０００３】
従来、利用者の歌唱練習に対して、演奏曲の反復演奏の手間を省く技術として、例えば下記の特許文献で提案されているものがある。当該特許文献は、リモコン装置等の入力装置による入力操作に応じて、対象となる演奏曲の中途における位置を位置指定手段により指定させ、当該指定位置を対象となる演奏曲の情報に関連付けてサーバの記憶装置に登録しておき、当該演奏曲の出力に際して、その演奏曲の情報と関連付けられて登録された指定位置を演奏開始位置、又は演奏開始位置から演奏終了位置までとして当該演奏曲の出力を行うというものである。
【０００４】
【特許文献１】特開２００７−１９９４１７号公報
【発明の開示】
【発明が解決しようとする課題】
【０００５】
しかしながら、楽曲の中途からの演奏に際して、利用者は入力装置を使用して楽曲毎に指定する必要があり、特に一曲中に複数の演奏開始位置がある場合や、一曲に限らず多数曲に対して中途演奏を望む場合には、それぞれに入力操作を行わなければならず、当該利用者に入力の手間を要求することになって、歌唱の動機付けを阻害することにもなるという問題がある。
【０００６】
そこで、本発明は上記課題に鑑みなされたもので、一曲の中で利用者が歌唱を望むであろう所定数の区間を特定して再生対象とさせる区間再生機能を備えるカラオケシステムを提供することを目的とする。
【課題を解決するための手段】
【０００７】
上記課題を解決するために、請求項１の発明では、複数の歌唱区間が連設されてなる楽曲が所定数格納される楽曲データベースを少なくとも有する区間再生機能を備えるカラオケシステムであって、利用者ＩＤ取得手段、採点処理手段、採点記憶手段、再生区間特定手段及び再生制御手段を有し、前記利用者ＩＤ取得手段は、利用者より利用者ＩＤを取得し、前記採点処理手段は、少なくとも歌唱されている楽曲中における前記歌唱区間毎に採点処理を行い、前記採点記憶手段は、利用者ＩＤ毎に、歌唱された楽曲毎の前記採点処理手段で採点処理された少なくとも歌唱区間毎の採点を記憶し、前記再生区間特定手段は、楽曲の再生要求に応じて、利用者ＩＤに基づき前記採点記憶手段より取得した歌唱対象となる当該楽曲の歌唱区間毎の採点に基づいて、予め設定された基準採点値に満たない歌唱区間を所定数特定し、前記再生制御手段は、利用者が歌唱対象となる楽曲の前記再生区間特定手段で特定された歌唱区間の歌唱を選択した場合に当該歌唱区間を再生させる、構成とする。
【発明の効果】
【０００８】
本発明によれば、利用者ＩＤ毎に、歌唱された楽曲の採点処理手段で採点処理された少なくとも歌唱区間毎の採点を採点記憶手段に記憶しておき、楽曲の再生要求に応じて、歌唱対象となる楽曲の歌唱区間毎の採点を利用者ＩＤに基づいて当該採点記憶手段より取得して予め設定された基準採点値に満たない歌唱区間を所定数特定し、利用者の選択に応じて歌唱対象となる楽曲の上記特定された歌唱区間を再生させる構成とすることにより、一曲の中で利用者が歌唱を望むであろう所定数の区間を特定して再生対象とさせることができ、利用者に対して効率よく練習させて歌唱力向上に寄与できることで、歌唱の動機付けとさせることができるものである。
【発明を実施するための最良の形態】
【０００９】
以下、本発明の最良の実施形態を図により説明する。
図１に、本発明に係る区間再生機能を備えるカラオケシステムを位置付ける構成説明図を示す。図１（Ａ）は通信ネットワークを使用して本システムを構成させた場合のネットワーク模式図、図１（Ｂ）はホスト装置の概要ブロック構成図、図１（Ｃ）は利用者データベースの備える採点情報の説明図である。
【００１０】
図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１１】
ホスト装置１１は、図１（Ｂ）に示すように、少なくとも送受信手段２１、制御手段２２、ＲＡＭ２３及び利用者データベース（ＤＢ）２４を備え、当該利用者ＤＢ２４は採点記憶手段としての採点情報２４Ａを備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１２】
上記制御手段２２は、当該ホスト装置１１を統括的に制御するもので、例えば物理的なＣＰＵであり、図示しないＲＯＭに格納されているプログラムのアルゴリズム処理を行う。ここでは、所定のカラオケ演奏端末１３より利用者ＩＤに基づいて利用者情報が要求されたときに、カラオケ演奏端末１３の端末ＩＤ及び利用者ＩＤを一旦ＲＡＭ２３に記憶し、少なくとも利用者ＤＢ２４の採点情報２４Ａより当該利用者ＩＤに関連付けられた採点情報を抽出して当該カラオケ演奏端末１３に送出する。上記ＲＡＭ２３は、所定情報の一時記憶及び種々のプログラムを展開、実行させるための作業領域としての役割をなすもので、例えば半導体メモリで構成され、仮想的にハードディスク上に構築される場合をも含む概念である。
【００１３】
上記利用者ＤＢ２４は、利用者ＩＤで管理される利用者毎に所定の情報が登録されたデータベースであり、利用者ＩＤに関連付けて、例えば少なくともニックネーム、登録者の顔写真等のイメージファイル名が関連付けられ、また、採点情報２４Ａには、図１（Ｃ）に示すように、利用者ＩＤ毎に、歌唱された楽曲毎の後述の採点処理手段で採点処理された少なくとも歌唱区間毎の採点が記憶されるものである。この場合の採点は、当該楽曲の各区間についての最新値、最高値若しくは平均値（所定期間、所定期間の演奏回数、全演奏回数の平均値）で示される。なお、図１（Ｃ）では、歌唱区間の採点のみを示したが、後述の採点処理手段が当該区間採点値を集計して算出した総合採点値をも含ませてもよい。
【００１４】
次に、図２に、本発明のカラオケシステムに係るカラオケ演奏端末のブロック構成図を示す。図２に示すカラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続され、当該遠隔入出力端末３６は、主要構成の他に楽曲検索手段３７、利用者ＩＤ取得部３８及び端末表示部３９を備える。
【００１５】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００１６】
上記遠隔入出力端末３６は、ユーザインタフェース機能を備えて対応のカラオケ演奏装置３１（後述の送受信部５３Ａ）に対して有線方式ないし無線方式（ＩＲ方式やブルートゥース（登録商標）機構のピコネット接続方式など）を利用してデータ授受を行うためのもので、そのための回路基板及びプログラムを備える。上記ユーザインタフェース機能としては、端末表示部３９としての液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１７】
また、遠隔入出力端末３６の備える利用者ＩＤ取得部３８は、利用者のログイン要求で所持するＩＣカード等が提示された時に、当該ＩＣカード等から利用者ＩＤを取得して、図示しないＲＡＭに記憶させ、またカラオケ演奏装置３１に送出する。なお、利用者ＩＤ取得部３８を、カラオケ演奏装置３１に備えさせてもよい。
【００１８】
上記カラオケ演奏装置３１は、バス４１、中央制御部４２、ＲＯＭ４３、ＲＡＭ４４、楽曲ＤＢ４５、映像ＤＢ４６、再生制御部４７、音楽曲出力部４８、Ａ／Ｄ変換部４９、採点処理手段５０、再生区間特定手段５１、再生制御手段５２及び送受信部５３Ａ，５３Ｂを適宜備える。また、ＲＡＭ４４には、利用者別情報記憶部５４、予約待ち行列５５及び演奏ログ記憶部５６の領域が形成され、当該利用者別情報記憶部５４には採点情報５４Ａの記憶領域が形成される。なお、上記各構成について、本発明の要旨と直接関連しない要素部分であっても、従前のカラオケ装置においても大部分が適用可能であることを示すために、装置全体を説明する。
【００１９】
中央制御部４２は、このシステムを統括的に処理制御する物理的なＣＰＵであり、ＲＯＭ４３に記憶されているプログラムに基づくアルゴリズム処理を行う。上記ＲＡＭ４４は、後述する利用者別情報記憶部５４（採点情報５４Ａ）、予約待ち行列５５及び演奏ログ記憶部５６の領域が形成される他に、上記種々のプログラムを展開、実行させるための作業領域としての役割をなすもので、例えば半導体メモリで構成され、仮想的にハードディスク上に構築される場合をも含む概念である。
【００２０】
上記楽曲ＤＢ４５は、楽曲ＩＤ、曲名及びアーチスト名が関連付けられた楽曲テーブルを有し、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、当該楽曲データに歌唱区間の情報が附帯されると共に、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。なお、この楽曲ＤＢ４５及び映像ＤＢ４６を、カラオケ演奏装置３１ではなく、上記ホスト装置１１に備えさせることとしてもよい。
【００２１】
上記再生制御部４７は、演奏時に、映像ＤＢ４６より抽出された所定数のシーン映像データ及び楽曲コードで楽曲ＤＢ４５より抽出された歌詞テロップデータ（歌詞文字データ）を当該楽曲の演奏データに同期させて表示部３２に出力する電子回路である。上記音楽曲出力部４８は、楽曲コードで楽曲ＤＢ４５より抽出された演奏データをデジタル再生し、アナログ変換してミキシングアンプ３３に出力する電子回路である。
【００２２】
上記採点処理手段５０は、任意の楽曲を歌唱した際の前記入力した歌唱音声に基づき、当該楽曲における所定の歌唱区間の歌唱による歌唱採点を算出するプログラムである。ここで、歌唱区間とは、１フレーズ単位、数フレーズ単位若しくは歌詞１文字を含む所定歌詞文字数毎をいい、任意に設定することができる。
【００２３】
例えば採点テーブルを備え、選択された楽曲元データに基づいて音楽曲出力部４８でデジタル再生された楽曲の主旋律のピッチ基準条件と、マイク３４より入力されてくる歌唱データをＡ／Ｄ変換部４９でデジタル変換したデジタル歌唱データから抽出した歌唱ピッチとを上記採点テーブルを参照して比較し、これを上記設定された歌唱区間毎の比較した結果の得点として例えば平均することにより採点結果とするものである。ここでの歌唱区間毎の採点値及び上記全体の採点結果が利用者ＩＤ及び楽曲コードに関連付けて演奏ログ記憶部５６に一旦記憶され、任意のタイミングで上記ホスト装置１１の利用者ＤＢ２４における採点情報２４Ａに反映されるものである。
【００２４】
上記再生区間特定手段５１は、利用者ＩＤに基づきホスト装置１１の利用者ＤＢ２４（採点情報２４Ａ）より取得して記憶した採点情報５４Ａにおける歌唱対象となる楽曲の歌唱区間毎の採点に基づいて、予め設定された基準採点値（ここでは、例えば８０点を基準採点値とする）に満たない歌唱区間を所定数特定するプログラムである。
【００２５】
上記再生制御手段５２は、少なくとも歌唱対象となる楽曲の上記再生区間特定手段５１で特定された歌唱区間を楽曲ＤＢ４５より抽出して再生させるプログラムであり、具体的には、当該特定された歌唱区間（特定区間と称する）の音楽曲データ及び歌詞データを楽曲ＤＢ４５より抽出すると共に、該当の映像データを映像ＤＢ４６より抽出し、当該音楽曲データを音楽曲出力部４８に送出し、映像データ及び歌詞データを再生制御部４７に送出するものである。
【００２６】
ここで、当該再生制御手段５２は、楽曲の全区間を歌唱する場合においても、全区間の音楽曲データ及び歌詞データを楽曲ＤＢ４５より取得すると共に、該当の映像データを映像ＤＢ４６より取得し、当該音楽曲データを音楽曲出力部４８に送出し、映像データ及び歌詞データを再生制御部４７に送出するものである。
【００２７】
上記送受信部５３Ａは、遠隔入出力端末３６との間で有線方式ないし無線方式（ＩＲ方式やブルートゥース機構のピコネット接続方式など）を利用してデータ授受を行うためのもので、そのための電子回路及びプログラムである。上記送受信部５３Ｂは、上記ホスト装置１１と上記通信ネットワーク１２を介してデータ授受を行うためのもので、通信方式と整合性をとるための例えば物理的な通信用回路やプラットフォーム等のソフトウエアにより構成されるものである。
【００２８】
上記ＲＡＭ４４に形成される利用者別情報記憶部５４の領域には、遠隔入出力端末３６から受け取った利用者ＩＤに基づいて中央制御部４２が、ホスト装置１１の利用者ＤＢ２４より、例えばニックネーム、イメージ（顔写真等）や歌唱履歴などの利用者情報を取得して記憶させ、当該利用者別情報記憶部５４の採点情報５４Ａには、利用者ＩＤ毎に上記図１（Ｃ）に示す楽曲の歌唱区間の採点情報を記憶させるものである。
【００２９】
また、ＲＡＭ４４に形成される予約待ち行列５５の領域には、中央制御部４２が利用者により選曲された楽曲ＩＤを予約順に記憶させていくものであり、当該楽曲について特定された所定数の歌唱区間が構成されている場合には、その歌唱区間を附帯させ、繰り返しの選択があればその情報を附帯させて表示可能に記憶されるものである（図８で説明する）。
【００３０】
さらに、ＲＡＭ４４に形成される演奏ログ記憶部５６には、中央制御部４２が、利用者（利用者ＩＤ）におけるこのカラオケ演奏装置３１で歌唱した楽曲ＩＤ、歌唱採点（歌唱区間の採点を含む）を一旦記憶しておき、例えばその都度、若しくは当該利用者のログアウト時、若しくは所定期間毎（１日単位等）に利用者別情報記憶部５４（採点情報５４Ａ）に記憶した対応の利用者ＩＤの歌唱履歴及び採点情報（全体及び歌唱区間）を更新してホスト装置１１に送出し、当該利用者ＤＢ２４の内容を更新させるためのプログラムである。なお、上記演奏ログ記憶部５６に記憶させる演奏ログを、遠隔入出力端末３６の図示しないＲＡＭにも記憶させることとしてもよい。また、区間再生における歌唱に対する採点を、練習モードとして行わないこととしてもよい。
【００３１】
ところで、図示しないが、当該カラオケ演奏装置３１には、利用者がリクエスト予約しようとする楽曲の楽曲コードを直接入力するためのテンキーや、演奏楽曲のテンポや、歌唱音声に対する種々の調節を行うボタンやツマミ類が可変抵抗器等の電子素子に直結された操作パネルも接続される。ところで、カラオケ演奏端末１３をスタンドアローンのカラオケシステムとして適用させる場合にはホスト装置１１の利用者ＤＢ２４（採点情報２４Ａ）を備えさせる構成とすることにより実現することができるものである。
【００３２】
そこで、図３に図２のカラオケ演奏端末における採点情報取得のフローチャートを示すと共に、図４に図２のカラオケ演奏端末における歌唱区間特定の処理フローチャートを示し、また、図５に図２のカラオケ演奏端末における楽曲予約表示の説明図、図６に図２のカラオケ演奏端末における歌唱不得意区間特定の説明図、図７に図２のカラオケ演奏端末における歌唱不得意区間特定表示の説明図、図８に図２のカラオケ演奏端末における予約楽曲表示の説明図を示す。
【００３３】
図３において、まず、所定の利用者がカラオケ演奏端末１３に対して、例えば遠隔入出力端末３６の利用者ＩＤ取得部３８に対して利用者のログイン要求で所持するＩＣカード等が提示された時に、利用者ＩＤ取得部３８が当該ＩＣカード等から利用者ＩＤを取得して図示しないＲＡＭに記憶すると共に、カラオケ演奏装置３１に送信する（ステップ（Ｓ）１）。
【００３４】
カラオケ演奏装置３１では、中央制御部４２が、取得した利用者ＩＤに基づいて、送受信部５３Ｂから通信ネットワーク１２を介してホスト装置１１にアクセスし、利用者ＤＢ２４より当該利用者のニックネーム、イメージ（顔写真など）等の当該利用者の所定の情報及び採点情報２４Ａより当該利用者ＩＤにおける楽曲毎の歌唱区間の採点情報を抽出させて取得し（Ｓ２）、これらを利用者ＩＤ毎にＲＡＭ４４の利用者情報記憶部５４（採点情報５４Ａ）に記憶させる（Ｓ３）。なお、取得した当該利用者の所定の情報については、送受信部５３Ａを介して図示しない遠隔入出力端末３６のＲＡＭにも利用者ＩＤ毎に記憶され、これにより利用者が遠隔入出力端末３６にて選曲を行う場合、所定の情報に基づくニックネームやイメージにて端末表示部３９に提示されるログイン中の利用者の中から、当該利用者が自身を選択して選曲を行うことで、当該利用者の利用者ＩＤと選曲された楽曲ＩＤとが関連づけられてカラオケ演奏装置３１に送出されることとなる。
【００３５】
そこで、図４において、例えば図５に示すように、遠隔入出力端末３６の端末表示部３９に提示されたログイン中の利用者の中から利用者が自身を選択することで当該利用者の楽曲ＩＤが特定されると共に、楽曲検索手段３７の実行により楽曲が特定された画面が端末表示部３９に表示された状態にて練習モードボタンが押下され、楽曲再生要求がなされると（Ｓ１１）、再生区間特定手段５１が、当該利用者ＩＤに関連付けられた歌唱要求楽曲がＲＡＭ４４の利用者別情報記憶部５４の採点情報５４Ａに存在するか否か参照する（Ｓ１２）。なお、転送ボタンが選択されると通常歌唱として予約待ち行列５５に登録される。
【００３６】
当該予約楽曲が上記採点情報５４Ａに存在する場合、当該楽曲の歌唱区間毎の採点を取得し、当該楽曲の歌唱区間のうち、基準採点値に満たない所定数の歌唱区間を特定する（Ｓ１３）。例えば、図６に示すように、採点情報５４Ａに存在した楽曲の区間毎の採点のうち、予め設定された基準採点値（ここでは、上述のように８０点とする）に満たない区間（同図において、区間４，６，７，１０等）が特定される。
【００３７】
続いて、中央制御部４２が、当該楽曲の歌詞データを楽曲ＤＢ４５より取得し、表示部３２に上記特定歌唱区間の歌詞を表示させると共に、特定歌唱区間の全部歌唱か、指定部分歌唱かを選択させる表示を行わせる（Ｓ１４）。例えば、図７（Ａ）に示すように、上記基準採点値に満たない歌唱区間を当該利用者の苦手な歌唱区間として、強調的に表示を行わせ、全区間を歌うか、指定区間を歌うかを選択させる。なお、指定は上記強調的に指定された歌唱区間を、例えば遠隔入出力端末３６のリモコン機能を利用して表示部３２の表示文字を反転表示させることにより行う。
【００３８】
上記図７（Ａ）に示すような表示部３２において、当該利用者が例えば特定歌唱区間の全区間を歌う場合を選択した場合の歌唱対象区間の入力に応じて（Ｓ１５）、例えば、図７（Ｂ）に示すように、繰り返し歌唱か、１回歌唱かを選択させる表示を行わせる（Ｓ１６）。なお、繰り返し歌唱の場合にその回数を選択させることとしてもよい。そして、当該利用者において、繰り返し歌唱の有無が入力されたときに（Ｓ１７）、要求された楽曲の当該歌唱対象区間の再生を開始するものである（Ｓ１８）。
【００３９】
一方、Ｓ１２において予約楽曲が採点情報５４Ａに存在しない場合には、図８に示すように、当該要求楽曲をＲＡＭ４４の予約待ち行列５５に登録するものである（Ｓ１９）。
そして、当該楽曲が歌唱されたときに、採点処理手段５０で所定区間毎の採点が行われ、当該採点がＲＡＭ４４の採点情報に記憶されるものである。このことにより、当該楽曲について、練習モードの自動的な区間再生が可能となるものである。
【００４０】
このように、一曲の中で利用者が歌唱を望むであろう所定数の区間を採点情報の歌唱区間毎の採点で特定して再生対象とさせることができ、利用者に対して効率よく練習させて歌唱力向上に寄与できることで、歌唱の動機付けとさせることができるものである。
【産業上の利用可能性】
【００４１】
本発明の区間再生機能を備えるカラオケシステムは、カラオケの基本的機能を備えるカラオケ装置の分野に利用可能である。
【図面の簡単な説明】
【００４２】
【図１】本発明に係る区間再生機能を備えるカラオケシステムを位置付ける構成説明図である。
【図２】本発明のカラオケシステムに係るカラオケ演奏端末のブロック構成図である
【図３】図２のカラオケ演奏端末における採点情報取得のフローチャートである。
【図４】図２のカラオケ演奏端末における歌唱区間特定の処理フローチャートである。
【図５】図２のカラオケ演奏端末における楽曲予約表示の説明図である。
【図６】図２のカラオケ演奏端末における歌唱不得意区間特定の説明図である。
【図７】図２のカラオケ演奏端末における歌唱不得意区間特定表示の説明図である。
【図８】図２のカラオケ演奏端末における予約楽曲表示の説明図である。
【符号の説明】
【００４３】
１１            ホスト装置
１３            カラオケ演奏端末
２４            利用者ＤＢ
２４Ａ，５４Ａ  採点情報
３１            カラオケ演奏装置
３６            遠隔入出力端末
３８            利用者ＩＤ取得部
５０            採点処理手段
５１            再生区間特定手段
５２            再生制御手段
５５            予約待ち行列
【図１】
0005100264.tif 000002
【図２】
0005100264.tif 000003
【図３】
0005100264.tif 000004
【図４】
0005100264.tif 000005
【図５】
0005100264.tif 000006
【図６】
0005100264.tif 000007
【図７】
0005100264.tif 000008
【図８】
0005100264.tif 000009